(57)【要約】【課題】本発明は食卓の回転台を回転させることができるアクセサリーを開示した。【解決手段】回転ベースを含み、前記回転ベースの上端には設備全体を支持する支柱が固定的に連結され、前記支柱の中には上方へ開口した連通溝が設置され、前記連通溝の開口端には上端水管が設置され、前記上端水管の中には水出指示装置が設置され、前記連通溝の前端内壁には駆動軸が回転できるように連結され、前記駆動軸には前記連通溝の中に位置している定量水取り装置が設置され、本発明は水流が落下することによりもたらされた運動エネルギーを利用し、設備全体の作動を連動させ、また水と築山により山水田園のイメージを形成し、良い食事をする環境を作り、同時に、定量の水を取る構造により、食卓の毎回の回転角度が同じであることを保証する。【選択図】図１
2020182788.tif 000002
【特許請求の範囲】
【請求項１】
正面視で、回転ベースを含み、前記回転ベースの上端には設備全体を支持する支柱が固定的に連結され、前記支柱の中には上方へ開口した連通溝が設置され、前記連通溝の開口端には上端水管が設置され、前記上端水管の中には水出指示装置が設置され、前記連通溝の前端内壁には駆動軸が回転できるように連結され、前記駆動軸には前記連通溝の中に位置している定量水取り装置が設置され、且つ前記定量水取り装置と前記上端水管との間が連通されるように連結され、前記駆動軸には前記連通溝の外側に位置している水受け装置が設置され、且つ前記水受け装置が前記水出指示装置の下端に位置しており、前記連通溝の中には前記定量水取り装置の下端に位置している下端水管が設置され、且つ前記下端水管の頂端内壁が前記定量水取り装置とスライドできるように連結され、前記下端水管の中にはスライドリングがスライドできるように連結され、前記スライドリングには中心対称の四つの水出管が連通するように連結され、前記支柱には食卓が回転できるように連結され、前記支柱には前記食卓の上端に位置している築山が回転できるように連結され、前記築山の下側には前記水出管と当接している吸盤が設置され、前記築山の中には伝動チャンバが設置され、前記伝動チャンバの底端内壁には中心対称の四つの水受け箱が設置され、前記水受け箱には上方へ開口した貯水溝が設置され、前記貯水溝の下端内壁と前記水出管とが連通するように連結され、水の循環利用が前記下端水管の中の水を固定値にし、前記貯水溝の中には回転装置が設置され、且つ前記回転装置は前記築山を連動させて回転させることができ、また前記水出管により、毎回前記食卓を一定の角度回転させ、前記築山の上端内壁には前記貯水溝の位置に対応した抜き孔が連通するように設置されたことを特徴とする食卓の回転台を回転させることができるアクセサリー。
【請求項２】
前記水出指示装置は前記上端水管の左端に連通するように連結された蛇口を含み、且つ前記蛇口が左側の前記抜き孔の上端に位置しており、前記蛇口の頂端には固定軸が回転できるように連結され、前記固定軸には前記蛇口の中に位置しているインペラが設置され、前記固定軸には前記蛇口の外部に位置している指示針が設置されたことを特徴とする請求項１に記載の食卓の回転台を回転させることができるアクセサリー。
【請求項３】
前記定量水取り装置は前記上端水管の底端の内壁とスライドできるように連結された水取り箱を含み、且つ前記水取り箱の下端が前記下端水管の上端内壁とスライドできるように連結され、前記水取り箱の中には上方へ開口した水貯蔵チャンバが設置され、前記水貯蔵チャンバの中には前後対称の水入り孔が連通するように設置され、前記水入り孔の直径が前記下端水管の壁の厚さより小さく、前記水貯蔵チャンバの密封性を保証し、前記水貯蔵チャンバの前端端面にはリミット枠が設置され、前記リミット枠の中には前後に連通しているスライド溝が設置され、前記駆動軸には前記連通溝の中に位置している回しロッドが設置され、前記回しロッドには前記スライド溝とスライドできるように連結された短円柱が設置されたことを特徴とする請求項１に記載の食卓の回転台を回転させることができるアクセサリー。
【請求項４】
前記水受け装置は前記駆動軸の前端末端に設置されたヒンジ連結ベースを含み、前記ヒンジ連結ベースと前記連通溝の前端端面との間にはトルクバネが連結され、前記ヒンジ連結ベースの下端の中には傾斜して置かれている接合溝が設置され、前記接合溝の中には上方へ開口した揺れ動き箱が設置され、且つ前記揺れ動き箱が左側の前記連通孔の下端に位置していることを特徴とする請求項１又は請求項３に記載の食卓の回転台を回転させることができるアクセサリー。
【請求項５】
前記回転装置は前記支柱の中に設置された軌道チャンバを含み、前記軌道チャンバには前記下端水管と嵌まるように連結された軌道ギヤが設置され、前記貯水溝の中には前記軌道チャンバの中に伸びている伝動軸が回転できるように連結され、前記伝動軸には前記軌道ギヤと噛み合うように連結されたベベルギヤが設置され、前記伝動軸には前記貯水溝の中に位置しているスクリューが設置され、前記貯水溝の反時計回りの側の内壁には傾斜しているガイドブロックが固定的に連結されたことを特徴とする請求項１に記載の食卓の回転台を回転させることができるアクセサリー。
【発明の詳細な説明】
【技術分野】
【０００１】
本発明は食卓アクセサリー技術分野を取り上げて、具体的には食卓の回転台を回転させることができるアクセサリーである。
【背景技術】
【０００２】
従来の円卓で食事をする時、人で回転台を回転させる必要があり、手で抓む必要がある食べ物を食べる時、手で回転台を回転させる操作は不便であまり衛生的ではなく、同時に回転台のある円卓に料理がない時、つまらなくてきれいではなく、本発明が提出した自動的に回転でき、且つ山水のイメージを与える装置は上記の問題を解決できる。
【先行技術文献】
【特許文献】
【０００３】
【特許文献１】中国特許出願公開第１０７５８１７７６号明細書
【発明の概要】
【発明が解決しようとする課題】
【０００４】
本発明は食卓の回転台を回転させることができるアクセサリーを提供し、従来技術における上記欠点を解消することを目的とする。
【課題を解決するための手段】
【０００５】
本発明の食卓の回転台を回転させることができるアクセサリーは、回転ベースを含み、前記回転ベースの上端には設備全体を支持する支柱が固定的に連結され、前記支柱の中には上方へ開口した連通溝が設置され、前記連通溝の開口端には上端水管が設置され、前記上端水管の中には水出指示装置が設置され、前記連通溝の前端内壁には駆動軸が回転できるように連結され、前記駆動軸には前記連通溝の中に位置している定量水取り装置が設置され、且つ前記定量水取り装置と前記上端水管との間が連通されるように連結され、前記駆動軸には前記連通溝の外側に位置している水受け装置が設置され、且つ前記水受け装置が前記水出指示装置の下端に位置しており、前記連通溝の中には前記定量水取り装置の下端に位置している下端水管が設置され、且つ前記下端水管の頂端内壁が前記定量水取り装置とスライドできるように連結され、前記下端水管の中にはスライドリングがスライドできるように連結され、前記スライドリングには中心対称の四つの水出管が連通するように連結され、前記支柱には食卓が回転できるように連結され、前記支柱には前記食卓の上端に位置している築山が回転できるように連結され、前記築山の下側には前記水出管と当接している吸盤が設置され、前記築山の中には伝動チャンバが設置され、前記伝動チャンバの底端内壁には中心対称の四つの水受け箱が設置され、前記水受け箱には上方へ開口した貯水溝が設置され、前記貯水溝の下端内壁と前記水出管とが連通するように連結され、水の循環利用が前記下端水管の中の水を固定値にし、前記貯水溝の中には回転装置が設置され、且つ前記回転装置は前記築山を連動させて回転させることができ、また前記水出管により、毎回前記食卓を一定の角度回転させ、前記築山の上端内壁には前記貯水溝の位置に対応した抜き孔が連通するように設置された。
【０００６】
好ましくは、前記水出指示装置は前記上端水管の左端に連通するように連結された蛇口を含み、且つ前記蛇口が左側の前記抜き孔の上端に位置しており、前記蛇口の頂端には固定軸が回転できるように連結され、前記固定軸には前記蛇口の中に位置しているインペラが設置され、前記固定軸には前記蛇口の外部に位置している指示針が設置され、前記上端水管の中には水を下方から上方へ吸い上げることができる水ポンプが設置され、前記指示針の回転により水を汲み上げる状況を判断する。
【０００７】
好ましくは、前記定量水取り装置は前記上端水管の底端の内壁とスライドできるように連結された水取り箱を含み、且つ前記水取り箱の下端が前記下端水管の上端内壁とスライドできるように連結され、前記水取り箱の中には上方へ開口した水貯蔵チャンバが設置され、前記水貯蔵チャンバの中には前後対称の水入り孔が連通するように設置され、前記水入り孔の直径が前記下端水管の壁の厚さより小さく、前記水貯蔵チャンバの密封性を保証し、前記水貯蔵チャンバの前端端面にはリミット枠が設置され、前記リミット枠の中には前後に連通しているスライド溝が設置され、前記駆動軸には前記連通溝の中に位置している回しロッドが設置され、前記回しロッドには前記スライド溝とスライドできるように連結された短円柱が設置され、前記水取り箱が下方へ移動する時、水が前記水入り孔から前記水貯蔵チャンバの中に入ることができ、前記水取り箱が上方へ移動する時、前記水入り孔が前記下端水管の壁の厚さにより覆われ、これにより前記水貯蔵チャンバが単なる上方へ開口したパイプである。
【０００８】
好ましくは、前記水受け装置は前記駆動軸の前端末端に設置されたヒンジ連結ベースを含み、前記ヒンジ連結ベースと前記連通溝の前端端面との間にはトルクバネが連結され、前記ヒンジ連結ベースの下端の中には傾斜して置かれている接合溝が設置され、前記接合溝の中には上方へ開口した揺れ動き箱が設置され、且つ前記揺れ動き箱が左側の前記連通孔の下端に位置しており、前記接合溝の中に耐えられる水の重量は固定値であり、固定値を過ぎた後、前記揺れ動き箱を回転させることができ、水を前記貯水溝の中に入れ、この時、前記定量水取り装置が同期作動する。
【０００９】
好ましくは、前記回転装置は前記支柱の中に設置された軌道チャンバを含み、前記軌道チャンバには前記下端水管と嵌まるように連結された軌道ギヤが設置され、前記貯水溝の中には前記軌道チャンバの中に伸びている伝動軸が回転できるように連結され、前記伝動軸には前記軌道ギヤと噛み合うように連結されたベベルギヤが設置され、前記伝動軸には前記貯水溝の中に位置しているスクリューが設置され、前記貯水溝の反時計回りの側の内壁には傾斜しているガイドブロックが固定的に連結され、水を片方向へ押し動かすことができる。
【発明の効果】
【００１０】
本発明の有益効果は：本発明は水流が落下することによりもたらされた運動エネルギーを利用し、設備全体の作動を連動させ、また水と築山により山水田園のイメージを形成し、良い食事をする環境を作り、同時に、定量の水を取る構造により、食卓の毎回の回転角度が同じであることを保証する。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の食卓の回転台を回転させることができるアクセサリーの全体構成模式図
【図２】図２は図１の「Ａ−Ａ」の構成模式図
【図３】図３は図２の「Ｂ−Ｂ」の構成模式図
【図４】図４は図１の「Ｃ−Ｃ」の構成模式図
【図５】図５は図３の「Ｄ−Ｄ」の構成模式図
【図６】図６は図５の「Ｅ−Ｅ」の構成模式図
【発明を実施するための形態】
【００１３】
図１〜６を参照し、本発明の食卓の回転台を回転させることができるアクセサリーは、回転ベース１１を含み、前記回転ベース１１の上端には設備全体を支持する支柱３２が固定的に連結され、前記支柱３２の中には上方へ開口した連通溝３３が設置され、前記連通溝３３の開口端には上端水管２７が設置され、前記上端水管２７の中には水出指示装置９０１が設置され、前記連通溝３３の前端内壁には駆動軸２９が回転できるように連結され、前記駆動軸２９には前記連通溝３３の中に位置している定量水取り装置９０２が設置され、且つ前記定量水取り装置９０２と前記上端水管２７との間が連通されるように連結され、前記駆動軸２９には前記連通溝３３の外側に位置している水受け装置９０３が設置され、且つ前記水受け装置９０３が前記水出指示装置９０１の下端に位置しており、前記連通溝３３の中には前記定量水取り装置９０２の下端に位置している下端水管３７が設置され、且つ前記下端水管３７の頂端内壁が前記定量水取り装置９０２とスライドできるように連結され、前記下端水管３７の中にはスライドリング４７がスライドできるように連結され、前記スライドリング４７には中心対称の四つの水出管１２が連通するように連結され、前記支柱３２には食卓１３が回転できるように連結され、前記支柱３２には前記食卓１３の上端に位置している築山２０が回転できるように連結され、前記築山２０の下側には前記水出管１２と当接している吸盤１４が設置され、前記築山２０の中には伝動チャンバ１９が設置され、前記伝動チャンバ１９の底端内壁には中心対称の四つの水受け箱１６が設置され、前記水受け箱１６には上方へ開口した貯水溝１８が設置され、前記貯水溝１８の下端内壁と前記水出管１２とが連通するように連結され、水の循環利用が前記下端水管３７の中の水を固定値にし、前記貯水溝１８の中には回転装置９０４が設置され、且つ前記回転装置９０４は前記築山２０を連動させて回転させることができ、また前記水出管１２により、毎回前記食卓１３を一定の角度回転させ、前記築山２０の上端内壁には前記貯水溝１８の位置に対応した抜き孔３１が連通するように設置された。
【００１４】
有益的には、前記水出指示装置９０１は前記上端水管２７の左端に連通するように連結された蛇口２３を含み、且つ前記蛇口２３が左側の前記抜き孔３１の上端に位置しており、前記蛇口２３の頂端には固定軸２５が回転できるように連結され、前記固定軸２５には前記蛇口２３の中に位置しているインペラ２４が設置され、前記固定軸２５には前記蛇口２３の外部に位置している指示針２６が設置され、前記上端水管２７の中には水を下方から上方へ吸い上げることができる水ポンプ２８が設置され、前記指示針２６の回転により水を汲み上げる状況を判断する。
【００１５】
有益的には、前記定量水取り装置９０２は前記上端水管２７の底端の内壁とスライドできるように連結された水取り箱３４を含み、且つ前記水取り箱３４の下端が前記下端水管３７の上端内壁とスライドできるように連結され、前記水取り箱３４の中には上方へ開口した水貯蔵チャンバ３５が設置され、前記水貯蔵チャンバ３５の中には前後対称の水入り孔３６が連通するように設置され、前記水入り孔３６の直径が前記下端水管３７の壁の厚さより小さく、前記水貯蔵チャンバ３５の密封性を保証し、前記水貯蔵チャンバ３５の前端端面にはリミット枠４０が設置され、前記リミット枠４０の中には前後に連通しているスライド溝３９が設置され、前記駆動軸２９には前記連通溝３３の中に位置している回しロッド４２が設置され、前記回しロッド４２には前記スライド溝３９とスライドできるように連結された短円柱４１が設置され、前記水取り箱３４が下方へ移動する時、水が前記水入り孔３６から前記水貯蔵チャンバ３５の中に入ることができ、前記水取り箱３４が上方へ移動する時、前記水入り孔３６が前記下端水管３７の壁の厚さにより覆われ、これにより前記水貯蔵チャンバ３５が単なる上方へ開口したパイプである。
【００１６】
有益的には、前記水受け装置９０３は前記駆動軸２９の前端末端に設置されたヒンジ連結ベース３０を含み、前記ヒンジ連結ベース３０と前記連通溝３３の前端端面との間にはトルクバネ３８が連結され、前記ヒンジ連結ベース３０の下端の中には傾斜して置かれている接合溝２１が設置され、前記接合溝２１の中には上方へ開口した揺れ動き箱２２が設置され、且つ前記揺れ動き箱２２が左側の前記連通孔３１の下端に位置しており、前記接合溝２１の中に耐えられる水の重量は固定値であり、固定値を過ぎた後、前記揺れ動き箱２２を回転させることができ、水を前記貯水溝１８の中に入れ、この時、前記定量水取り装置９０２が同期作動する。
【００１７】
有益的には、前記回転装置９０４は前記支柱３２の中に設置された軌道チャンバ４５を含み、前記軌道チャンバ４５には前記下端水管３７と嵌まるように連結された軌道ギヤ４４が設置され、前記貯水溝１８の中には前記軌道チャンバ４５の中に伸びている伝動軸１５が回転できるように連結され、前記伝動軸１５には前記軌道ギヤ４４と噛み合うように連結されたベベルギヤ４３が設置され、前記伝動軸１５には前記貯水溝１８の中に位置しているスクリュー１７が設置され、前記貯水溝１８の反時計回りの側の内壁には傾斜しているガイドブロック４６が固定的に連結され、水を片方向へ押し動かすことができる。
【００１８】
作動する時、水ポンプ２８を始動し、水を水貯蔵チャンバ３５の中から汲み上げ、上端水管２７により蛇口２３の中に伝送し、この時、水流がインペラ２４に激しくぶつかり、更に固定軸２５を回転させ、指示針２６を回転させ、水を汲み上げることの開始を指示し、水が左側の抜き孔３１から接合溝２１の中に入り、接合溝２１の中の水の重量が増えるにつれ、揺れ動き箱２２を回転させ、トルクバネ３８に運動エネルギーを蓄積させ、また駆動軸２９により回しロッド４２を回転させ、回しロッド４２は短円柱４１がスライド溝３９の中でのスライドにより、リミット枠４０を推し動かしてまず下方へ移動させ、この時、水取り箱３４が下方へ同期移動し、水入り孔３６が下端水管３７の中に入り、水が水入り孔３６から水貯蔵チャンバ３５の中に入り、接合溝２１の中に入った水が多すぎる時、揺れ動き箱２２が反時計回りに最大限度まで回転し、接合溝２１の中の水を貯水溝１８の中に入れ、この時、トルクバネ３８の弾性復元力により、駆動軸２９を連動させて逆方向へ回転させ、この時、水取り箱３４は水入り孔３６が下端水管３７の頂端内壁に覆われるまで上方へスライドし、当該過程において、接合溝２１にある水の量は恒常値なので、水取り箱３４が毎回取り出した水も恒常値であり、この時、貯水溝１８の中まで落ちた水がガイドブロック４６によりガイドされてスクリュー１７を推し動かして回転させ、スクリュー１７が伝動軸１５によりベベルギヤ４３を連動させて回転させ、ベベルギヤ４３が噛み合いの伝動により軌道ギヤ４４で九十度回転し、動力が順に伝動軸１５と、水受け箱１６と、築山２０と、吸盤１４とにより食卓１３を連動させて九十度同期回転させ、食卓を自動的に回転させることを完成し、この時、水が水出管１２から下端水管３７の内部に戻り、これにより水取り箱３４に取られた水が同じ値の補充を得て、このように繰り返し、自動化回転を実現し、且つ水流が流れることと築山とが合わせて山水のイメージを形成する。
【００１９】
本発明の有益効果は：本発明は水流が落下することによりもたらされた運動エネルギーを利用し、設備全体の作動を連動させ、また水と築山により山水田園のイメージを形成し、良い食事をする環境を作り、同時に、定量の水を取る構造により、食卓の毎回の回転角度が同じであることを保証する。
【００２０】
以上の方式により、本分野の技術者が本発明の範囲内に作動モードにより各種な変化をすることができる。
【図１】
2020182788.tif 000003
【図２】
2020182788.tif 000004
【図３】
2020182788.tif 000005
【図４】
2020182788.tif 000006
【図５】
2020182788.tif 000007
【図６】
2020182788.tif 000008
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、回転ベースを含み、前記回転ベースの上端には設備全体を支持する支柱が固定的に連結され、前記支柱の中には上方へ開口した連通溝が設置され、前記連通溝の開口端には上端水管が設置され、前記上端水管の中には水出指示装置が設置され、前記連通溝の前端内壁には駆動軸が回転できるように連結され、前記駆動軸には前記連通溝の中に位置している定量水取り装置が設置され、且つ前記定量水取り装置と前記上端水管との間が連通されるように連結され、前記駆動軸には前記連通溝の外側に位置している水受け装置が設置され、且つ前記水受け装置が前記水出指示装置の下端に位置しており、前記連通溝の中には前記定量水取り装置の下端に位置している下端水管が設置され、且つ前記下端水管の頂端内壁が前記定量水取り装置とスライドできるように連結され、前記下端水管の中にはスライドリングがスライドできるように連結され、前記スライドリングには中心対称の四つの水出管が連通するように連結され、前記支柱には食卓が回転できるように連結され、前記支柱には前記食卓の上端に位置している築山が回転できるように連結され、前記築山の下側には前記水出管と当接している吸盤が設置され、前記築山の中には伝動チャンバが設置され、前記伝動チャンバの底端内壁には中心対称の四つの水受け箱が設置され、前記水受け箱には上方へ開口した貯水溝が設置され、前記貯水溝の下端内壁と前記水出管とが連通するように連結され、水の循環利用が前記下端水管の中の水を固定値にし、前記貯水溝の中には回転装置が設置され、且つ前記回転装置は前記築山を連動させて回転させることができ、前記築山の上端内壁には前記貯水溝の位置に対応した抜き孔が連通するように設置され、
前記水出指示装置は前記上端水管の左端に連通するように連結された蛇口を含み、且つ前記蛇口が左側の前記抜き孔の上端に位置しており、前記蛇口の頂端には固定軸が回転できるように連結され、前記固定軸には前記蛇口の中に位置しているインペラが設置され、前記固定軸には前記蛇口の外部に位置している指示針が設置され、
前記定量水取り装置は前記上端水管の底端の内壁とスライドできるように連結された水取り箱を含み、且つ前記水取り箱の下端が前記下端水管の上端内壁とスライドできるように連結され、前記水取り箱の中には上方へ開口した水貯蔵チャンバが設置され、前記水貯蔵チャンバの中には前後対称の水入り孔が連通するように設置され、前記水入り孔の直径が前記下端水管の壁の厚さより小さく、前記水貯蔵チャンバの密封性を保証し、前記水貯蔵チャンバの前端端面にはリミット枠が設置され、前記リミット枠の中には前後に連通しているスライド溝が設置され、前記駆動軸には前記連通溝の中に位置している回しロッドが設置され、前記回しロッドには前記スライド溝とスライドできるように連結された短円柱が設置され、
前記水受け装置は前記駆動軸の前端末端に設置されたヒンジ連結ベースを含み、前記ヒンジ連結ベースと前記連通溝の前端端面との間にはトルクバネが連結され、前記ヒンジ連結ベースの下端の中には傾斜して置かれている接合溝が設置され、前記接合溝の中には上方へ開口した揺れ動き箱が設置され、且つ前記揺れ動き箱が左側の前記抜き孔の下端に位置し、
前記回転装置は前記支柱の中に設置された軌道チャンバを含み、前記軌道チャンバには前記下端水管と嵌まるように連結された軌道ギヤが設置され、前記貯水溝の中には前記軌道チャンバの中に伸びている伝動軸が回転できるように連結され、前記伝動軸には前記軌道ギヤと噛み合うように連結されたベベルギヤが設置され、前記伝動軸には前記貯水溝の中に位置しているスクリューが設置され、前記貯水溝の反時計回りの側の内壁には傾斜しているガイドブロックが固定的に連結されたことを特徴とする食卓の回転台を回転させることができるアクセサリー。
【手続補正２】
【補正対象書類名】明細書
【補正対象項目名】全文
【補正方法】変更
【補正の内容】
【発明の詳細な説明】
【技術分野】
【０００１】
本発明は食卓アクセサリー技術分野を取り上げて、具体的には食卓の回転台を回転させることができるアクセサリーである。
【背景技術】
【０００２】
従来の円卓で食事をする時、人で回転台を回転させる必要があり、手で抓む必要がある食べ物を食べる時、手で回転台を回転させる操作は不便であまり衛生的ではなく、同時に回転台のある円卓に料理がない時、つまらなくてきれいではなく、本発明が提出した自動的に回転でき、且つ山水のイメージを与える装置は上記の問題を解決できる。
【先行技術文献】
【特許文献】
【０００３】
【特許文献１】中国特許出願公開第１０７５８１７７６号明細書
【発明の概要】
【発明が解決しようとする課題】
【０００４】
本発明は食卓の回転台を回転させることができるアクセサリーを提供し、従来技術における上記欠点を解消することを目的とする。
【課題を解決するための手段】
【０００５】
本発明の食卓の回転台を回転させることができるアクセサリーは、回転ベースを含み、前記回転ベースの上端には設備全体を支持する支柱が固定的に連結され、前記支柱の中には上方へ開口した連通溝が設置され、前記連通溝の開口端には上端水管が設置され、前記上端水管の中には水出指示装置が設置され、前記連通溝の前端内壁には駆動軸が回転できるように連結され、前記駆動軸には前記連通溝の中に位置している定量水取り装置が設置され、且つ前記定量水取り装置と前記上端水管との間が連通されるように連結され、前記駆動軸には前記連通溝の外側に位置している水受け装置が設置され、且つ前記水受け装置が前記水出指示装置の下端に位置しており、前記連通溝の中には前記定量水取り装置の下端に位置している下端水管が設置され、且つ前記下端水管の頂端内壁が前記定量水取り装置とスライドできるように連結され、前記下端水管の中にはスライドリングがスライドできるように連結され、前記スライドリングには中心対称の四つの水出管が連通するように連結され、前記支柱には食卓が回転できるように連結され、前記支柱には前記食卓の上端に位置している築山が回転できるように連結され、前記築山の下側には前記水出管と当接している吸盤が設置され、前記築山の中には伝動チャンバが設置され、前記伝動チャンバの底端内壁には中心対称の四つの水受け箱が設置され、前記水受け箱には上方へ開口した貯水溝が設置され、前記貯水溝の下端内壁と前記水出管とが連通するように連結され、水の循環利用が前記下端水管の中の水を固定値にし、前記貯水溝の中には回転装置が設置され、且つ前記回転装置は前記築山を連動させて回転させることができ、前記築山の上端内壁には前記貯水溝の位置に対応した抜き孔が連通するように設置された。
【０００６】
好ましくは、前記水出指示装置は前記上端水管の左端に連通するように連結された蛇口を含み、且つ前記蛇口が左側の前記抜き孔の上端に位置しており、前記蛇口の頂端には固定軸が回転できるように連結され、前記固定軸には前記蛇口の中に位置しているインペラが設置され、前記固定軸には前記蛇口の外部に位置している指示針が設置され、前記上端水管の中には水を下方から上方へ吸い上げることができる水ポンプが設置され、前記指示針の回転により水を汲み上げる状況を判断する。
【０００７】
好ましくは、前記定量水取り装置は前記上端水管の底端の内壁とスライドできるように連結された水取り箱を含み、且つ前記水取り箱の下端が前記下端水管の上端内壁とスライドできるように連結され、前記水取り箱の中には上方へ開口した水貯蔵チャンバが設置され、前記水貯蔵チャンバの中には前後対称の水入り孔が連通するように設置され、前記水入り孔の直径が前記下端水管の壁の厚さより小さく、前記水貯蔵チャンバの密封性を保証し、前記水貯蔵チャンバの前端端面にはリミット枠が設置され、前記リミット枠の中には前後に連通しているスライド溝が設置され、前記駆動軸には前記連通溝の中に位置している回しロッドが設置され、前記回しロッドには前記スライド溝とスライドできるように連結された短円柱が設置され、前記水取り箱が下方へ移動する時、水が前記水入り孔から前記水貯蔵チャンバの中に入ることができ、前記水取り箱が上方へ移動する時、前記水入り孔が前記下端水管の壁の厚さにより覆われ、これにより前記水貯蔵チャンバが単なる上方へ開口したパイプである。
【０００８】
好ましくは、前記水受け装置は前記駆動軸の前端末端に設置されたヒンジ連結ベースを含み、前記ヒンジ連結ベースと前記連通溝の前端端面との間にはトルクバネが連結され、前記ヒンジ連結ベースの下端の中には傾斜して置かれている接合溝が設置され、前記接合溝の中には上方へ開口した揺れ動き箱が設置され、且つ前記揺れ動き箱が左側の前記抜き孔の下端に位置しており、前記接合溝の中に耐えられる水の重量は固定値であり、固定値を過ぎた後、前記揺れ動き箱を回転させることができ、水を前記貯水溝の中に入れ、この時、前記定量水取り装置が同期作動する。
【０００９】
好ましくは、前記回転装置は前記支柱の中に設置された軌道チャンバを含み、前記軌道チャンバには前記下端水管と嵌まるように連結された軌道ギヤが設置され、前記貯水溝の中には前記軌道チャンバの中に伸びている伝動軸が回転できるように連結され、前記伝動軸には前記軌道ギヤと噛み合うように連結されたベベルギヤが設置され、前記伝動軸には前記貯水溝の中に位置しているスクリューが設置され、前記貯水溝の反時計回りの側の内壁には傾斜しているガイドブロックが固定的に連結され、水を片方向へ押し動かすことができる。
【発明の効果】
【００１０】
本発明の有益効果は：本発明は水流が落下することによりもたらされた運動エネルギーを利用し、設備全体の作動を連動させ、また水と築山により山水田園のイメージを形成し、良い食事をする環境を作り、同時に、定量の水を取る構造により、食卓の毎回の回転角度が同じであることを保証する。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の食卓の回転台を回転させることができるアクセサリーの全体構成模式図
【図２】図２は図１の「Ａ−Ａ」の構成模式図
【図３】図３は図２の「Ｂ−Ｂ」の構成模式図
【図４】図４は図１の「Ｃ−Ｃ」の構成模式図
【図５】図５は図３の「Ｄ−Ｄ」の構成模式図
【図６】図６は図５の「Ｅ−Ｅ」の構成模式図
【発明を実施するための形態】
【００１３】
図１〜６を参照し、本発明の食卓の回転台を回転させることができるアクセサリーは、回転ベース１１を含み、前記回転ベース１１の上端には設備全体を支持する支柱３２が固定的に連結され、前記支柱３２の中には上方へ開口した連通溝３３が設置され、前記連通溝３３の開口端には上端水管２７が設置され、前記上端水管２７の中には水出指示装置９０１が設置され、前記連通溝３３の前端内壁には駆動軸２９が回転できるように連結され、前記駆動軸２９には前記連通溝３３の中に位置している定量水取り装置９０２が設置され、且つ前記定量水取り装置９０２と前記上端水管２７との間が連通されるように連結され、前記駆動軸２９には前記連通溝３３の外側に位置している水受け装置９０３が設置され、且つ前記水受け装置９０３が前記水出指示装置９０１の下端に位置しており、前記連通溝３３の中には前記定量水取り装置９０２の下端に位置している下端水管３７が設置され、且つ前記下端水管３７の頂端内壁が前記定量水取り装置９０２とスライドできるように連結され、前記下端水管３７の中にはスライドリング４７がスライドできるように連結され、前記スライドリング４７には中心対称の四つの水出管１２が連通するように連結され、前記支柱３２には食卓１３が回転できるように連結され、前記支柱３２には前記食卓１３の上端に位置している築山２０が回転できるように連結され、前記築山２０の下側には前記水出管１２と当接している吸盤１４が設置され、前記築山２０の中には伝動チャンバ１９が設置され、前記伝動チャンバ１９の底端内壁には中心対称の四つの水受け箱１６が設置され、前記水受け箱１６には上方へ開口した貯水溝１８が設置され、前記貯水溝１８の下端内壁と前記水出管１２とが連通するように連結され、水の循環利用が前記下端水管３７の中の水を固定値にし、前記貯水溝１８の中には回転装置９０４が設置され、且つ前記回転装置９０４は前記築山２０を連動させて回転させることができ、前記築山２０の上端内壁には前記貯水溝１８の位置に対応した抜き孔３１が連通するように設置された。
【００１４】
有益的には、前記水出指示装置９０１は前記上端水管２７の左端に連通するように連結された蛇口２３を含み、且つ前記蛇口２３が左側の前記抜き孔３１の上端に位置しており、前記蛇口２３の頂端には固定軸２５が回転できるように連結され、前記固定軸２５には前記蛇口２３の中に位置しているインペラ２４が設置され、前記固定軸２５には前記蛇口２３の外部に位置している指示針２６が設置され、前記上端水管２７の中には水を下方から上方へ吸い上げることができる水ポンプ２８が設置され、前記指示針２６の回転により水を汲み上げる状況を判断する。
【００１５】
有益的には、前記定量水取り装置９０２は前記上端水管２７の底端の内壁とスライドできるように連結された水取り箱３４を含み、且つ前記水取り箱３４の下端が前記下端水管３７の上端内壁とスライドできるように連結され、前記水取り箱３４の中には上方へ開口した水貯蔵チャンバ３５が設置され、前記水貯蔵チャンバ３５の中には前後対称の水入り孔３６が連通するように設置され、前記水入り孔３６の直径が前記下端水管３７の壁の厚さより小さく、前記水貯蔵チャンバ３５の密封性を保証し、前記水貯蔵チャンバ３５の前端端面にはリミット枠４０が設置され、前記リミット枠４０の中には前後に連通しているスライド溝３９が設置され、前記駆動軸２９には前記連通溝３３の中に位置している回しロッド４２が設置され、前記回しロッド４２には前記スライド溝３９とスライドできるように連結された短円柱４１が設置され、前記水取り箱３４が下方へ移動する時、水が前記水入り孔３６から前記水貯蔵チャンバ３５の中に入ることができ、前記水取り箱３４が上方へ移動する時、前記水入り孔３６が前記下端水管３７の壁の厚さにより覆われ、これにより前記水貯蔵チャンバ３５が単なる上方へ開口したパイプである。
【００１６】
有益的には、前記水受け装置９０３は前記駆動軸２９の前端末端に設置されたヒンジ連結ベース３０を含み、前記ヒンジ連結ベース３０と前記連通溝３３の前端端面との間にはトルクバネ３８が連結され、前記ヒンジ連結ベース３０の下端の中には傾斜して置かれている接合溝２１が設置され、前記接合溝２１の中には上方へ開口した揺れ動き箱２２が設置され、且つ前記揺れ動き箱２２が左側の前記抜き孔３１の下端に位置しており、前記接合溝２１の中に耐えられる水の重量は固定値であり、固定値を過ぎた後、前記揺れ動き箱２２を回転させることができ、水を前記貯水溝１８の中に入れ、この時、前記定量水取り装置９０２が同期作動する。
【００１７】
有益的には、前記回転装置９０４は前記支柱３２の中に設置された軌道チャンバ４５を含み、前記軌道チャンバ４５には前記下端水管３７と嵌まるように連結された軌道ギヤ４４が設置され、前記貯水溝１８の中には前記軌道チャンバ４５の中に伸びている伝動軸１５が回転できるように連結され、前記伝動軸１５には前記軌道ギヤ４４と噛み合うように連結されたベベルギヤ４３が設置され、前記伝動軸１５には前記貯水溝１８の中に位置しているスクリュー１７が設置され、前記貯水溝１８の反時計回りの側の内壁には傾斜しているガイドブロック４６が固定的に連結され、水を片方向へ押し動かすことができる。
【００１８】
作動する時、水ポンプ２８を始動し、水を水貯蔵チャンバ３５の中から汲み上げ、上端水管２７により蛇口２３の中に伝送し、この時、水流がインペラ２４に激しくぶつかり、更に固定軸２５を回転させ、指示針２６を回転させ、水を汲み上げることの開始を指示し、水が左側の抜き孔３１から接合溝２１の中に入り、接合溝２１の中の水の重量が増えるにつれ、揺れ動き箱２２を回転させ、トルクバネ３８に運動エネルギーを蓄積させ、また駆動軸２９により回しロッド４２を回転させ、回しロッド４２は短円柱４１がスライド溝３９の中でのスライドにより、リミット枠４０を推し動かしてまず下方へ移動させ、この時、水取り箱３４が下方へ同期移動し、水入り孔３６が下端水管３７の中に入り、水が水入り孔３６から水貯蔵チャンバ３５の中に入り、接合溝２１の中に入った水が多すぎる時、揺れ動き箱２２が反時計回りに最大限度まで回転し、接合溝２１の中の水を貯水溝１８の中に入れ、この時、トルクバネ３８の弾性復元力により、駆動軸２９を連動させて逆方向へ回転させ、この時、水取り箱３４は水入り孔３６が下端水管３７の頂端内壁に覆われるまで上方へスライドし、当該過程において、接合溝２１にある水の量は恒常値なので、水取り箱３４が毎回取り出した水も恒常値であり、この時、貯水溝１８の中まで落ちた水がガイドブロック４６によりガイドされてスクリュー１７を推し動かして回転させ、スクリュー１７が伝動軸１５によりベベルギヤ４３を連動させて回転させ、ベベルギヤ４３が噛み合いの伝動により軌道ギヤ４４で九十度回転し、動力が順に伝動軸１５と、水受け箱１６と、築山２０と、吸盤１４とにより食卓１３を連動させて九十度同期回転させ、食卓を自動的に回転させることを完成し、この時、水が水出管１２から下端水管３７の内部に戻り、これにより水取り箱３４に取られた水が同じ値の補充を得て、このように繰り返し、自動化回転を実現し、且つ水流が流れることと築山とが合わせて山水のイメージを形成する。
【００１９】
本発明の有益効果は：本発明は水流が落下することによりもたらされた運動エネルギーを利用し、設備全体の作動を連動させ、また水と築山により山水田園のイメージを形成し、良い食事をする環境を作り、同時に、定量の水を取る構造により、食卓の毎回の回転角度が同じであることを保証する。
【００２０】
以上の方式により、本分野の技術者が本発明の範囲内に作動モードにより各種な変化をすることができる。